(57)【要約】【課題】被験者に対して、腋下の発汗状態に左右されることなく、精度の高い予測温度を案内すること。【解決手段】抵抗体の近傍に設けられた第１の電極部１０１と第２の電極部１０２との間の電位差が所定の閾値を超える場合は、測温部が出力する温度信号に基づいて測定部位の予測温度を算出し、当該電位差が所定の閾値以下である場合は当該温度信号および当該電位差に基づいて測定部位の予測温度を算出し、算出した予測温度を報知する電子体温計１００を構成した。【選択図】図１
2015179031.tif 000002
【特許請求の範囲】
【請求項１】
温度変化に応じて抵抗値が変化する複数の抵抗体と、
当該抵抗体の抵抗値に応じた温度信号を取得する温度信号取得手段と、
前記抵抗体に対応して設けられた複数の電極と、
前記複数の電極間の電位差を検出する電位差検出手段と
を備え、
前記電位差検出手段が検出した電位差に応じて、前記温度信号に基づいて生体の温度を算出するか、
または、前記温度信号および前記電位差に基づいて生体の温度を算出するかを判断することを特徴とする電子体温計。
【請求項２】
前記電位差検出手段が検出した電位差が所定の閾値を超える場合は前記温度信号に基づいて生体の温度を算出し、前記電位差検出手段が検出した電位差が所定の閾値以下である場合は前記温度信号および前記電位差に基づいて生体の温度を算出する温度算出手段を備えたことを特徴とする請求項１に記載の電子体温計。
【請求項３】
前記温度算出手段は、
前記電位差検出手段が検出した電位差が所定の閾値以下である場合、前記温度信号取得手段が取得する温度信号のみに基づく場合よりも高くなるように前記温度を算出することを特徴とする請求項２に記載の電子体温計。
【請求項４】
所定の操作を受け付ける操作手段を備え、
前記温度算出手段は、
前記操作手段が操作を受け付けた後、単位時間ごとに、前記温度信号取得手段が取得する温度信号に基づいて前記生体の実測温度を算出し、
前記電位差検出手段は、
前記操作手段が操作を受け付けた後、前記単位時間において前記実測温度が所定値以上上昇した場合に、前記電位差を検出することを特徴とする請求項２または３に記載の電子体温計。
【請求項５】
前記温度算出手段が算出した温度を報知する報知手段をさらに備え、
前記報知手段は、
前記電位差検出手段が検出した電位差が所定の閾値以下である場合、前記温度信号取得手段が取得する温度信号および前記電位差に基づいて算出された温度であることを報知することを特徴とする請求項２〜４のいずれか一つに記載の電子体温計。
【請求項６】
前記報知手段は、
所定の情報を表示する表示部を備え、
前記電位差検出手段が検出した電位差が所定の閾値以下である場合、前記表示部に温度の再計測を促すメッセージを表示することを特徴とする請求項５に記載の電子体温計。
【発明の詳細な説明】
【技術分野】
【０００１】
この発明は、生体の体温を計測する電子体温計に関する。
【背景技術】
【０００２】
従来、先端部に設けられたサーミスタの温度変化にともなって変化する抵抗値を測定することにより体温を計測する電子体温計があった。このような電子体温計には、被験者の腋下を測定部位として、当該測定部位に先端部を接触させた状態で体温を検出するものがあった。
【０００３】
また、従来、たとえば、それ以上上がらない温度（平衡温度）を実測によって検出する前に、サーミスタの抵抗値の変化に基づいて、当該平衡温度を所定の予測演算式にしたがって算出するようにした電子体温計があった。このような電子体温計によれば、被験者の体温などの計測結果を実測温度によって案内する場合よりも早期に案内することができる。
【０００４】
具体的には、従来、たとえば、先端部に設けられたプローブ部の内側に一対の電極を備え、一対の電極間の静電容量を計測し、計測された静電容量の変化に基づいてプローブ部が測定部位に適切に接触しているか否かを判定するようにした技術があった（たとえば、下記特許文献１を参照。）。
【先行技術文献】
【特許文献】
【０００５】
【特許文献１】特開２０１０−３２３２４号公報
【発明の概要】
【発明が解決しようとする課題】
【０００６】
しかしながら、上述した従来の技術による電子体温計は、測定部位とされる腋下が発汗していると、算出される予測温度に誤差が生じてしまい、被験者に対して信頼性の高い予測温度を案内することが難しいという問題があった。
【０００７】
この対策として、上述した従来の技術による電子体温計の取扱説明書に、「腋の下が汗で濡れていると実際よりも低い体温を示すことがあります。」、「汗をかいたままの検温は避けてください。」、「測る前に、腋の下の汗を乾いたタオルなどで軽くふき取ってください。」などの注意書きを記載し、腋下などの測定部位が発汗した状態での検温をおこなわないように促した場合にも、実際に先端部を接触させた測定部位が、算出される予測温度に誤差が生じるほどに濡れているかどうかは被験者は判断することが難しい。
【０００８】
このため、上述した従来の技術による電子体温計は、測定部位とされる腋下が発汗していることにより、算出される予測温度に誤差が生じることを回避することは難しく、被験者に対して信頼性の高い予測温度を案内することが難しいという問題があった。
【０００９】
この発明は、上述した従来技術による問題点を解消するため、被験者に対して、腋下の発汗状態に左右されることなく、精度の高い予測温度を案内することができる電子体温計を提供することを目的とする。
【課題を解決するための手段】
【００１０】
上述した課題を解決し、目的を達成するため、この発明にかかる電子体温計は、温度変化に応じて抵抗値が変化する複数の抵抗体と、当該抵抗体の抵抗値に応じた温度信号を取得する温度信号取得手段と、前記抵抗体に対応して設けられた複数の電極と、前記複数の電極間の電位差を検出する電位差検出手段とを備え、前記電位差検出手段が検出した電位差に応じて、前記温度信号に基づいて生体の温度を算出するか、または、前記温度信号および前記電位差に基づいて生体の温度を算出するかを判断することを特徴とする。
【００１１】
また、この発明にかかる電子体温計は、上記の発明において、前記電位差検出手段が検出した電位差が所定の閾値を超える場合は前記温度信号に基づいて生体の温度を算出し、前記電位差検出手段が検出した電位差が所定の閾値以下である場合は前記温度信号および前記電位差に基づいて生体の温度を算出する温度算出手段を備えたことを特徴とする。
【００１２】
また、この発明にかかる電子体温計は、上記の発明において、前記温度算出手段が、前記電位差検出手段が検出した電位差が所定の閾値以下である場合、前記温度信号取得手段が取得する温度信号のみに基づく場合よりも高くなるように前記温度を算出することを特徴とする。
【００１３】
また、この発明にかかる電子体温計は、上記の発明において、所定の操作を受け付ける操作手段を備え、前記温度算出手段が、前記操作手段が操作を受け付けた後、単位時間ごとに、前記温度信号取得手段が取得する温度信号に基づいて前記生体の実測温度を算出し、前記電位差検出手段が、前記操作手段が操作を受け付けた後、前記単位時間において前記実測温度が所定値以上上昇した場合に、前記電位差を検出することを特徴とする。
【００１４】
また、この発明にかかる電子体温計は、上記の発明において、前記温度算出手段が算出した温度を報知する報知手段をさらに備え、前記報知手段が、前記電位差検出手段が検出した電位差が所定の閾値以下である場合、前記温度信号取得手段が取得する温度信号および前記電位差に基づいて算出された温度であることを報知することを特徴とする。
【００１５】
また、この発明にかかる電子体温計は、上記の発明において、前記報知手段が、所定の情報を表示する表示部を備え、前記電位差検出手段が検出した電位差が所定の閾値以下である場合、前記表示部に温度の再計測を促すメッセージを表示することを特徴とする。
【発明の効果】
【００１６】
この発明にかかる電子体温計によれば、被験者に対して、腋下の発汗状態に左右されることなく、精度の高い温度を案内することができるという効果を奏する。
【図面の簡単な説明】
【００１７】
【図１】この発明にかかる実施の形態の電子体温計の外観を示す説明図である。
【図２】この発明にかかる実施の形態の電子体温計のハードウエア構成を示す説明図である。
【図３】この発明にかかる実施の形態の電子体温計の機能的構成を示すブロック図である。
【図４】この発明にかかる実施の形態の電子体温計の処理手順を示すフローチャート（その１）である。
【図５】この発明にかかる実施の形態の電子体温計の処理手順を示すフローチャート（その２）である。
【図６】この発明にかかる別の実施の形態の電子体温計の外観を示す説明図である。
【図７】この発明にかかる別の実施の形態の電子体温計のハードウエア構成を示す説明図である。
【発明を実施するための形態】
【００１８】
以下に添付図面を参照して、この発明にかかる電子体温計の好適な実施の形態を詳細に説明する。
【００１９】
（電子体温計の外観）
まず、この発明にかかる実施の形態の電子体温計の外観について説明する。図１は、この発明にかかる実施の形態の電子体温計の外観を示す説明図である。図１において、この発明にかかる実施の形態の電子体温計１００は、第１の電極部１０１と、第２の電極部１０２と、表示部１０３と、スイッチ１０４と、を備えている。第１の電極部１０１、第２の電極部１０２、表示部１０３およびスイッチ１０４は、電子体温計本体１００ａに設けられている。
【００２０】
第１の電極部１０１は、電子体温計本体１００ａの一端部に設けられており、金属製のキャップ形状をなしている。第１の電極部１０１の内側には、測温部（図２を参照）を構成するサーミスタ（Ｔｈｅｒｍｉｓｔｏｒ）が設けられている。第１の電極部１０１は、測温部を液密に保護する。
【００２１】
サーミスタは、温度変化に応じて抵抗値が変化するセラミック半導体であって、この発明にかかる抵抗体を実現する。サーミスタは、温度上昇にともなって抵抗値が減少するＮＴＣ（Ｎｅｇａｔｉｖｅ  Ｔｅｍｐｅｒａｔｕｒｅ  Ｃｏｅｆｆｉｃｉｅｎｔ）サーミスタであってもよく、温度上昇にともなって抵抗値が増大するＰＴＣ（Ｐｏｓｉｔｉｖｅ  Ｔｅｍｐｅｒａｔｕｒｅ  Ｃｏｅｆｆｉｃｉｅｎｔ）サーミスタによって実現してもよい。
【００２２】
第２の電極部１０２は、電子体温計本体１００ａにおいて、第１の電極部１０１と表示部１０３との間に設けられている。第２の電極部１０２の内側にはサーミスタが設けられている。このサーミスタにより、第２の電極部周辺の温度を検出し、予測値の演算に使用することも可能である。第２の電極部１０２は、金属製のリング形状をなしている。表示部１０３は、たとえば、ＬＣＤ（Ｌｉｑｕｉｄ  Ｃｒｙｓｔａｌ  Ｄｉｓｐｌａｙ）によって構成されている。表示部１０３は、ＬＣＤに代えて、有機ＥＬ（Ｅｌｅｃｔｒｏ  Ｌｕｍｉｎｅｓｃｅｎｃｅ）ディスプレイを用いてもよい。前回測定した体温値、表示する体温値を測定したモード、電池残量などの各種の情報を表示する。表示部１０３は、ＬＣＤや有機ＥＬディスプレイに加えて、ＬＥＤなど、点灯／消灯を制御可能な発光素子を備えていてもよい。
【００２３】
スイッチ１０４は、被験者などによる各種の入力操作を受け付ける。スイッチ１０４は、たとえば、電子体温計１００の電源のＯＮ／ＯＦＦを切り換える操作を受け付ける。電子体温計１００がＯＮの状態でスイッチ１０４が操作された場合、電子体温計１００の電源はＯＦＦの状態となる。電子体温計１００がＯＦＦの状態でスイッチ１０４が操作された場合、電子体温計１００の電源はＯＮの状態となる。
【００２４】
（電子体温計１００のハードウエア構成）
つぎに、この発明にかかる実施の形態の電子体温計１００のハードウエア構成について説明する。図２は、この発明にかかる実施の形態の電子体温計１００のハードウエア構成を示す説明図である。
【００２５】
図２において、この発明にかかる実施の形態の電子体温計１００は、電源２０１と、スイッチ１０４と、測温部２０２と、制御部２０３と、第２の電極部１０２と、増幅器２０４と、周波数フィルター２０５と、ＡＤＣ（Ａｎａｌｏｇｕｅ  Ｄｉｇｉｔａｌ  Ｃｏｎｖｅｒｔｅｒ）２０６と、ＤＡＣ２０７（Ｄｉｇｉｔａｌ  Ａｎａｌｏｇｕｅ  Ｃｏｎｖｅｒｔｅｒ）と、周波数フィルター２０８と、増幅器２０９と、第１の電極部１０１と、表示部１０３と、を備えている。
【００２６】
電源２０１は、電子体温計１００が備える各部へ電力を供給する。電源２０１は、たとえば、一次電池などの電池を用いることができる。スイッチ１０４は、被験者などによる入力操作を受け付け、当該入力操作がおこなわれている間、制御部２０３に対して操作信号を出力する。
【００２７】
測温部２０２は、サーミスタ、コンデンサ、測温用ＣＲ発振回路（いずれも図示を省略する）などから構成されている。測温部２０２は、サーミスタにより検出された、サーミスタの抵抗値に応じた信号を、測温用ＣＲ発振回路を介して温度信号として、制御部２０３に対して出力する。出力された温度信号は、ＲＡＭなどにおいて記憶される。
【００２８】
制御部２０３は、ＣＰＵ、ＲＯＭ、ＲＡＭ、ＥＥＰＲＯＭ（いずれも図示を省略する）などによって構成されるマイクロコンピュータによって実現することができる。制御部２０３は、ＣＰＵによって、ＲＡＭをワークエリアとして、ＲＯＭに格納された制御プログラムを実行することにより、電子体温計１００が備える各部を駆動制御する。ＣＰＵは、計時機能を備えている。
【００２９】
ＲＯＭは、たとえば、計測部位（生体表面）の予測温度（被検者の予測体温）の算出にかかる予測温度演算プログラムを格納している。また、ＲＯＭは、たとえば、計測部位（生体表面）の実測温度の算出（検出）にかかる実測温度演算プログラムを格納している。ＲＡＭは、測温部２０２から出力された温度信号に関する情報、あるいは、当該温度信号に基づいて算出される予測温度に関する情報を記憶する。また、ＲＡＭは、測温部２０２から出力された温度信号を取得したタイミングに関する情報を、当該温度信号に関連付けて記憶する。
【００３０】
ＥＥＰＲＯＭは、温度の計測に用いる各種のパラメーターを格納している。また、ＥＥＰＲＯＭは、電位差の判断に用いる所定の閾値を記憶している。また、ＥＥＰＲＯＭは、予測温度の算出に際して用いる、電圧値に応じた補正値に関する情報を記憶している。具体的には、ＥＥＰＲＯＭは、たとえば、第１の電極部１０１と第２の電極部１０２との電位差と、各電位差に対する補正値とを関連付けた組み合わせパターンを複数記憶している。
【００３１】
制御部２０３は、スイッチ１０４から出力された操作信号と時針の動作状態とに応じて、電子体温計１００が備える各部を駆動制御する。制御部２０３は、たとえば、電子体温計１００がＯＮの状態においてスイッチ１０４に対する所定の操作（「２秒長押し」など）を受け付けた場合、電子体温計１００をＯＦＦの状態とする。また、制御部２０３は、たとえば、電子体温計１００がＯＦＦの状態においてスイッチ１０４に対する所定の操作（「２秒長押し」など）を受け付けた場合、電子体温計１００をＯＮの状態とする。
【００３２】
また、制御部２０３は、測温部２０２から出力された温度信号に基づいて、実測温度を算出（検出）する。実測温度は、平衡温度（それ以上上がらない温度）になるまで計測をおこなった場合の温度であって、当該実測温度の算出（検出）時における、腋下などの計測部位の実際の温度を示す。実測温度は、温度信号（サーミスタの抵抗値）を直接温度に換算することにより算出（検出）することができる。
【００３３】
また、制御部２０３は、測温部２０２から出力された温度信号に基づいて、温度（予測温度）を算出する。予測温度は、実際に平衡温度になる前に、測温部２０２から出力された温度信号に基づいて、当該平衡温度を所定の予測演算式にしたがって算出することによって得られる温度であって、被験者の体温などの計測結果を実測温度を得る場合よりも早期に得ることができる。
【００３４】
第１の電極部１０１は、温度の計測対象となる物体（生体）における計測部位（生体表面）に接触することで第１の電極部１０１と生体との間に発生する接触電位（静止電位）に応じた信号（第１の検出信号）を出力する。第１の電極部１０１は、計測部位（生体表面）に接触している際に流れる電流により、第１の電極部１０１と生体表面との境界面に発生する電位に応じた第１の検出信号を出力する。
【００３５】
第２の電極部１０２は、第１の電極部１０１と同様に、温度の計測対象となる物体（生体）における計測部位（生体表面）に接触することで第２の電極部１０２と生体との間に発生する接触電位（静止電位）に応じた信号（第２の検出信号）を出力する。第２の電極部１０２は、計測部位（生体表面）に接触している際に流れる電流により、第１の電極部１０１と生体表面との境界面に発生する電位に応じた第２の検出信号を出力する。
【００３６】
増幅器２０４は、温度の計測対象となる物体（生体）における計測部位に第２の電極部１０２を近づけることにより、当該第２の電極部１０２において誘起される、電界の強さに比例した電荷（誘導電荷）に応じた信号を増幅する。周波数フィルター２０５は、増幅器２０４が増幅した信号のうち、所定帯域の周波数成分のみをＡＤＣ２０６へ通過させ、残余の帯域の周波数成分を減衰させる。
【００３７】
具体的には、周波数フィルター２０５は、たとえば、所定帯域の周波数として、５０ｋＨｚ前後の周波数の正弦波を通過させる。ＡＤＣ２０６は、周波数フィルター２０５を通過した所定帯域の周波数の正弦波をアナログ値からデジタル値に変換し、変換されたデジタル信号を制御部２０３に出力する。制御部２０３は、ＡＤＣ２０６から制御部２０３に入力されたデジタル信号に応じたデジタル信号を、ＤＡＣ２０７に対して出力する。
【００３８】
ＤＡＣ２０７は、ＡＤＣ２０６を介して制御部２０３に入力されたデジタル信号に基づいて制御部２０３から出力されたデジタル信号を、デジタル値からアナログ値に変換し、周波数フィルター２０８に出力する。周波数フィルター２０８は、上記の周波数フィルター２０５と同様に、所定帯域の周波数成分のみを増幅器２０９へ通過させ、残余の帯域の周波数成分を減衰させる。
【００３９】
具体的には、周波数フィルター２０８は、たとえば、所定帯域の周波数として、５０ｋＨｚ前後の周波数の正弦波を通過させる。増幅器２０９は、周波数フィルター２０８から出力されたアナログ信号を増幅し、増幅したアナログ信号を第１の電極部１０１に印加する。これにより、第１の電極部１０１の電位と第２の電極部１０２の電位とを検出することができ、第１の電極部１０１と第２の電極部１０２との間におけるインピーダンスを測定することができる。
【００４０】
表示部１０３は、たとえば、温度の計測対象となる物体（生体）における計測部位において計測した、当該計測部位の温度（予測温度や実測温度）を表示する。また、表示部１０３は、表示する温度が予測温度であるか実測温度であるかを示すマークなどを表示してもよい。また、表示部１０３は、電池残量などを表示してもよく、起動時に、前回測定した温度を表示してもよい。また、表示部１０３は、ＬＣＤに加えて、ＬＥＤなどの発光素子を備える場合、当該発光素子を点灯／消灯／点滅（あるいは点滅パターン）することによって、「予測温度であるか実測温度であるか」を案内したり、「電池残量」を案内したりして、各種の情報を案内するものであってもよい。
【００４１】
電子体温計１００は、アラーム音を発声させるブザー（図示を省略する）を備えていてもよい。ブザーは、たとえば、圧電素子と金属板を貼り合わせた振動板のたわみ振動を発音源とする圧電ブザーによって実現することができる。圧電ブザーなどのブザーについては、公知の技術を用いて容易に実現可能であるため説明を省略する。
【００４２】
（電子体温計１００の機能的構成）
つぎに、この発明にかかる実施の形態の電子体温計１００の機能的構成について説明する。図３は、この発明にかかる実施の形態の電子体温計１００の機能的構成を示すブロック図である。図３において、この発明にかかる実施の形態の電子体温計１００の機能は、電位差検出部３０１、温度信号取得部３０２、温度算出部３０３、報知部３０４によって実現することができる。
【００４３】
電位差検出部３０１は、複数の電極間の電位差を検出する。この実施の形態において、電位差検出部３０１は、第１の電極部１０１の電位と第２の電極部１０２の電位との電位差を検出する。この実施の形態において、電位差検出部３０１の機能は、第２の電極部１０２、増幅器２０４、周波数フィルター２０５、ＡＤＣ２０６、ＤＡＣ２０７、周波数フィルター２０８、増幅器２０９、第１の電極部１０１および制御部２０３などによって、実現することができる。
【００４４】
温度信号取得部３０２は、サーミスタの抵抗値に応じた温度信号を取得する。温度信号取得部３０２は、たとえば、所定の単位時間ごとに信号を取得する。この実施の形態において、温度信号取得部３０２の機能は、測温部２０２および制御部２０３によって実現することができる。
【００４５】
温度算出部３０３は、電位差検出部３０１が検出した電位差が所定の閾値を超えているか否かを判断する。温度算出部３０３は、たとえば、ＥＥＰＲＯＭを参照して電位差の判断に用いる所定の閾値を取得し、当該所定の閾値と、第１の電極部１０１の電位と第２の電極部１０２の電位とから算出された電位差とを比較することによって、電位差検出部３０１が検出した電位差が所定の閾値を超えているか否かを判断する。
【００４６】
温度算出部３０３は、電位差検出部３０１が検出した電位差が所定の閾値を超える場合は、温度信号取得部３０２が取得する温度信号に基づいて、計測部位（生体表面）の温度（予測温度）を算出する。すなわち、温度算出部３０３は、電位差検出部３０１が検出した電位差が所定の閾値を超える場合、すなわち電位差が大きい場合は、発汗量が少なく、腋下の状態が検温に適した良好な状態であると判断し、温度信号取得部３０２が取得する温度信号のみに基づいて温度（予測温度）を算出する。
【００４７】
一方、温度算出部３０３は、電位差検出部３０１が検出した電位差が所定の閾値を超えていない、すなわち、電位差検出部３０１が検出した電位差が所定の閾値以下である場合は、温度信号取得部３０２が取得する温度信号、および、電位差検出部３０１が検出した電位差に基づいて、計測部位（生体表面）の温度（予測温度）を算出する。すなわち、温度算出部３０３は、電位差検出部３０１が検出した電位差が所定の閾値以下である場合は、発汗量が多く、腋下の状態が検温に適した状態ではなく、本来の体温よりも低い温度（予測温度）が算出される状態であると判断し、温度信号取得部３０２が取得する温度信号および電位差に基づいて計測部位（生体表面）の温度（予測温度）を算出する。
【００４８】
具体的には、温度算出部３０３は、電位差検出部３０１が検出した電位差が所定の閾値以下である場合、温度信号取得部３０２が取得する温度信号のみに基づいて算出される温度（予測温度）よりも高い温度となるように、温度（予測温度）を算出する。具体的には、温度算出部３０３は、電位差と、各電位差に対する補正値とを関連付けた組み合わせパターンを、ＥＰＲＯＭなどにおいて複数パターン記憶しておき、算出された電位差に応じて補正値を特定し、特定した補正値および温度信号取得部３０２が取得する温度信号を用いて温度（予測温度）を算出する。
【００４９】
より具体的には、温度算出部３０３は、たとえば、温度信号取得部３０２が取得する温度信号のみに基づいて算出される温度（予測温度）から、電位差に応じて特定した補正値を減算することによって温度（予測温度）を算出する。あるいは、より具体的には、温度算出部３０３は、たとえば、温度信号取得部３０２が取得する温度信号のみに基づいて算出される温度（予測温度）に対して、電位差に応じて特定した補正値を乗算することによって温度（予測温度）を算出してもよい。
【００５０】
また、温度算出部３０３は、電位差検出部３０１が検出した電位差にかかわらず、温度信号取得部３０２が取得する温度信号に基づいて、計測部位（生体表面）の実測温度を算出する。実測温度は、たとえば、温度信号（サーミスタの抵抗値）を直接温度に換算することによって、実測温度を算出（検出）することができる。また、実測温度は、たとえば、温度信号（サーミスタの抵抗値）をパラメーターとする所定の実測温度演算プログラムを実行することによって、実測温度を算出（検出）するようにしてもよい。
【００５１】
この実施の形態において、温度算出部３０３の機能は、制御部２０３によって実現することができる。制御部２０３は、電位差検出部３０１が検出した電位差に応じて、温度信号に基づいて生体の温度を算出するか、または、前記温度信号および前記電位差に基づいて生体の温度を算出するかを判断する。そして、制御部２０３は、当該判断結果に応じて、温度算出部３０３の機能を実行し、温度信号のみ、あるいは、温度信号および電位差に基づいて生体の温度を算出する。
【００５２】
報知部３０４は、温度算出部３０３が算出した温度（予測温度、実測温度）を報知する。報知部３０４は、温度算出部３０３が算出した温度（予測温度、実測温度）を、表示部１０３に表示することによって報知する。温度算出部３０３が予測温度および実測温度の両方を算出した場合、報知部３０４は、所定の期間は予測温度を表示部１０３に表示し、当該所定の期間の経過後は実測温度を表示する。
【００５３】
所定の期間は、たとえば、体温の計測を開始する条件が成立してから所定時間が経過した時点から、体温を実測するために腋下に電子体温計１００を装着しつづけると推定される時間（実測切替時間）までの間とすることができる。これにより、報知部３０４は、腋下に電子体温計１００を装着すると、まず予測温度を報知し、体温を実測するために腋下に電子体温計１００を装着しつづけた場合は、実測温度を報知することができる。
【００５４】
また、報知部３０４は、温度信号および電位差に基づいて算出された温度、すなわち、電位差に応じて補正がなされた予測温度を表示部１０３に表示する場合、当該表示部１０３に表示した温度が、補正がなされた予測温度であることを示すマークを表示し、報知した温度が補正がなされた予測温度であることをあわせて報知してもよい。また、報知部３０４は、電位差に応じて補正がなされた温度（予測温度）を表示部１０３に表示する場合、ブザーにより所定パターンのアラーム音を発声させ、報知した温度が補正がなされた温度（予測温度）であることをあわせて報知してもよい。
【００５５】
さらに、報知部３０４は、電位差に応じて補正がなされた温度（予測温度）を表示部１０３に表示する場合、あるいは、温度（予測温度）の補正がなされた場合、被験者に対して再検温を促すメッセージを表示してもよい。これにより、被験者に対して、より良好な状態で正確な体温を測定するよう促すことができる。
【００５６】
（電子体温計１００の処理手順）
つぎに、この発明にかかる実施の形態の電子体温計１００の処理手順について説明する。図４および図５は、この発明にかかる実施の形態の電子体温計１００の処理手順を示すフローチャートである。図４のフローチャートにおいて、まず、スイッチ１０４に対する所定の操作（たとえば「２秒長押し」など）がおこなわれることによる、電源２０１ＯＮの操作を受け付けるまで待機する（ステップＳ４０１：Ｎｏ）。
【００５７】
ステップＳ４０１において、電源２０１ＯＮの操作を受け付けた場合（ステップＳ４０１：Ｙｅｓ）、電子体温計１００をＯＮ状態とし、電子体温計１００の初期化をおこなう（ステップＳ４０２）。ステップＳ４０２においては、たとえば、前回測定した温度などのデータを消去することにより初期化をおこなう。そして、測温部２０２からの出力値に基づいて、温度信号を取得し（ステップＳ４０３）、取得した温度信号を記憶する（ステップＳ４０４）とともに、取得した温度信号に基づいて、測温部２０２により実測される温度を算出する（ステップＳ４０５）。
【００５８】
つぎに、ステップＳ４０５において算出された、測温部２０２により実測される温度に基づいて、体温の計測を開始する条件が成立したか否かを判断する（ステップＳ４０６）。ステップＳ４０６においては、たとえば、直前（たとえば０．５秒前）に測温部２０２から出力された温度信号に基づく前回の実測温度に対して、今回測温部２０２から出力された温度信号に基づく今回の実測温度が所定値以上となった場合、すなわち、サンプリング時間（所定の単位時間）における温度上昇率が所定値以上となった場合に、体温の計測を開始する条件が成立したと判断する。これにより、被検者が、腋下に電子体温計１００を装着した状況とみなせる場合に、体温の計測を開始する条件が成立したと判断することができる。
【００５９】
ステップＳ４０６において、体温の計測を開始する条件が成立していない場合（ステップＳ４０６：Ｎｏ）、直前に温度信号を取得してから、所定のサンプリング時間が経過したか否かを判断する（ステップＳ４２０）。サンプリング時間は、たとえば、０．５秒など、電子体温計１００の製造者が任意に設定することができる。
【００６０】
ステップＳ４０６において、体温の計測を開始する条件が成立した場合（ステップＳ４０６：Ｙｅｓ）、今回の実測温度にかかる温度信号を取得したタイミングを温度（予測温度）演算の基準時点に設定する（ステップＳ４０７）。そして、第１の電極部１０１の電位（第１の電位）および第２の電極部１０２の電位（第２の電位）を取得し（ステップＳ４０８）、取得した第１の電位と第２の電位との電位差を算出する（ステップＳ４０９）。ステップＳ４０９においては、第２の電位に対する第１の電位の差分を電位差として算出する。
【００６１】
つぎに、ステップＳ４０９において算出した電位差が、あらかじめ設定された所定の閾値以下であるか否かを判断する（ステップＳ４１０）。ステップＳ４１０においては、ＥＰＲＯＭに記憶された所定の閾値を抽出し、当該所定の閾値とステップＳ４０９において算出した電位差とを比較する。ステップＳ４１０において、ステップＳ４０９において算出した電位差が、所定の閾値以下である場合（ステップＳ４１０：Ｙｅｓ）、補正値を取得する（ステップＳ４１１）。
【００６２】
ステップＳ４１１においては、たとえば、ＥＥＰＲＯＭが記憶する複数の組み合わせパターンの中から、ステップＳ４０９において算出した電位差に対応する組み合わせパターンを特定し、当該組み合わせパターンに含まれる補正値を取得する。一方、ステップＳ４１０において、ステップＳ４０９において算出した電位差が、あらかじめ設定された所定の閾値を超えている場合（ステップＳ４１０：Ｎｏ）、補正値を取得することなく、ステップＳ４１２へ移行する。
【００６３】
つぎに、ステップＳ４０７において設定した基準時点から、所定のサンプリング時間（たとえば、０．５秒など）が経過したか否かを判断する（ステップＳ４１２）。ステップＳ４１２において、基準時点から所定のサンプリング時間が経過していない場合（ステップＳ４１２：Ｎｏ）、当該サンプリング時間が経過するまで待機する。一方、ステップＳ４１２において、基準時点から所定のサンプリング時間が経過した場合（ステップＳ４１２：Ｙｅｓ）、測温部２０２から出力された温度信号を取得し（ステップＳ４１３）、取得した温度信号を記憶する（ステップＳ４１４）とともに、取得した温度信号に基づいて、測温部２０２により実測される温度（実測温度）を算出（検出）する（ステップＳ４１５）。
【００６４】
そして、ステップＳ４１５において算出した、測温部２０２により実測される温度に基づいて、予測演算をおこなう条件が成立したか否かを判断する（ステップＳ４１６）。ステップＳ４１６においては、たとえば、直前（たとえば０．５秒前）に測温部２０２により実測された温度に対する、今回測温部２０２により実測された温度の変化量が、所定の温度範囲（たとえば±０．０５℃）内に収まっているか否かを判断することにより、予測演算をおこなう条件が成立したか否かを判断することができる。
【００６５】
また、予測演算をおこなう条件の成立の判断は、たとえば、基準時点からｔ１秒後からｔ２（ｔ１＜ｔ２）秒後までの間に得られた温度データが、所定の温度範囲（たとえば±０．０５℃）以内に収まっているか否かを判断することによっておこなってもよい。この場合、具体的には、たとえば、ｔ１は５秒、ｔ２は３０秒などのように設定することができる。
【００６６】
ステップＳ４１６において、予測演算をおこなう条件が成立していない場合（ステップＳ４１６：Ｎｏ）、ステップＳ４１２へ移行する。これにより、予測演算をおこなう条件が成立するまで、所定のサンプリング時間（０．５秒）ごとに、測温部２０２により実測される温度が算出される。
【００６７】
ステップＳ４１６において、予測演算をおこなう条件が成立した場合（ステップＳ４１６：Ｙｅｓ）、温度（予測温度）を算出する（ステップＳ４１７）。ステップＳ４１７においては、たとえば、今回測温部２０２から出力された温度信号に基づいて温度（予測温度）を算出する。また、ステップＳ４１７においては、ステップＳ４１１を経由した場合、今回測温部２０２から出力された温度信号およびステップＳ４１１において取得した補正値に基づいて、温度（予測温度）を算出する。その後、ステップＳ４１７において決定した温度（予測温度）を、表示部１０３に表示する（ステップＳ４１８）とともに、ブザーにより所定パターンのアラーム音を発声させる（ステップＳ４１９）。
【００６８】
ステップＳ４１８においては、補正された温度（予測温度）を表示する場合、当該温度（予測温度）とあわせて、表示する温度が予測温度であることを表示してもよい。また、ステップＳ４１８においては、補正された温度（予測温度）を表示する場合、当該温度（予測温度）とあわせて、再検温を促すメッセージを表示してもよい。
【００６９】
ステップＳ４２０において、前回温度信号を取得してから、所定のサンプリング時間が経過するまで待機する（ステップＳ４２０：Ｎｏ）。前回温度信号を取得してから、所定のサンプリング時間が経過した場合（ステップＳ４２０：Ｙｅｓ）、ステップＳ４０３へ移行する。ステップＳ４０６からステップＳ４２０を経由してステップＳ４０３へ移行する場合、体温の計測を開始する条件が成立するまで、所定のサンプリング時間ごとに温度信号の取得、温度信号の記憶および温度の算出がおこなわれる。
【００７０】
図５のフローチャートにおいて、まず、ステップＳ４１７において算出した温度（予測温度）を表示部１０３に表示した後、ステップＳ４０７において設定した基準時点から、所定の実測切替時間ｔ３が経過したか否かを判断する（ステップＳ５０１）。実測切替時間ｔ３は、体温の実測を求める被験者が、体温を実測するために腋下に電子体温計１００を装着しつづけると推定される時間などに基づいて設定することができる。実測切替時間ｔ３は、電子体温計１００の製造者が任意に設定することができ、具体的には、たとえば、５分などのように設定することができる。
【００７１】
ステップＳ５０１において、基準時点から所定の実測切替時間が経過していない場合（ステップＳ５０１：Ｎｏ）、基準時点から所定の実測切替時間が経過するまで待機する。一方、ステップＳ５０１において、基準時点から所定の実測切替時間が経過した場合（ステップＳ５０１：Ｙｅｓ）、測温部２０２からの出力値に基づいて、温度信号を取得し（ステップＳ５０２）、取得した温度信号に基づいて、測温部２０２により実測される温度を算出する（ステップＳ５０３）。
【００７２】
つぎに、ステップＳ５０３において算出した、測温部２０２により実測される温度が、所定温度以上であるか否かを判断する（ステップＳ５０４）。ステップＳ５０４においては、たとえば、測温部２０２により実測される温度が、体温と判断できる温度以上であるか否かを判断する。あるいは、ステップＳ５０４においては、たとえば、測温部２０２により実測される温度が、図４のステップＳ４１７において決定した温度（予測温度）よりも上昇しているか否かを判断してもよい。あるいは、ステップＳ５０４においては、たとえば、測温部２０２により実測される温度が、図４のステップＳ４１７において決定した温度（予測温度）に対する、今回測温部２０２により実測された温度の変化量が、所定の温度範囲内に収まっているか否かを判断してもよい。
【００７３】
ステップＳ５０４において、測温部２０２により実測される温度が所定温度以上ではない場合（ステップＳ５０４：Ｎｏ）、ステップＳ５０９へ移行する。一方、ステップＳ５０４において、測温部２０２により実測される温度が所定温度以上である場合（ステップＳ５０４：Ｙｅｓ）、ステップＳ５０３において算出した温度（実測温度）を、表示部１０３に表示する（ステップＳ５０５）。
【００７４】
つぎに、ステップＳ４０７において設定した基準時点から、所定の実測終了時間（たとえば、５分など）が経過したか否かを判断する（ステップＳ５０６）。実測終了時間は、実測により体温を計測するために要する時間であって、たとえば、電子体温計１００を挟み込むために開くことによって低下した腋下の温度が、腋下を閉じたあと体温と同等の温度になるまでに要する時間に基づいて設定することができる。実測終了時間は、たとえば、５分、１０分などのように、電子体温計１００の製造者が任意に設定することができる。
【００７５】
ステップＳ５０６において、基準時点から所定の実測終了時間が経過していない場合（ステップＳ５０６：Ｎｏ）、ステップＳ５０２において前回温度信号を取得してから所定のサンプリング時間が経過したか否かを判断する（ステップＳ５０７）。ステップＳ５０７において、前回温度信号を取得してから所定のサンプリング時間が経過していない場合（ステップＳ５０７：Ｎｏ）、当該サンプリング時間が経過するまで待機する。ステップＳ５０７において、前回温度信号を取得してから所定のサンプリング時間が経過した場合（ステップＳ５０７：Ｙｅｓ）、ステップＳ５０２へ移行する。
【００７６】
一方、ステップＳ５０６において、基準時点から所定の実測終了時間が経過した場合（ステップＳ５０６：Ｙｅｓ）、ブザーにより所定パターンのアラーム音を発声させる（ステップＳ５０８）。ステップＳ５０８においては、上記の図４のステップＳ４１９において発声させたアラーム音とは、音質あるいは発声パターンが異なるアラーム音を発声させることが好ましい。これにより、被験者に対して、腋下から電子体温計１００を取り出させることなく、予測検温が終了したのか、実測検温が終了したのかを容易に案内することができる。
【００７７】
その後、スイッチ１０４に対する所定の操作（たとえば「２秒長押し」など）がおこなわれることによる、電源２０１ＯＦＦの操作を受け付けたか否かを判断する（ステップＳ５０９）。そして、ステップＳ５０９において、電源２０１ＯＦＦの操作を受け付けていない場合（ステップＳ５０９：Ｎｏ）、ステップＳ４０７において設定した基準時点から、所定の終了時間（たとえば、３０分など）が経過したか否かを判断する（ステップＳ５１０）。終了時間は、体温の計測を終了した後、被験者などが電源２０１ＯＦＦの操作を失念したと想定可能な時間であって、たとえば、３０分などのように、電子体温計１００の製造者が任意に設定することができる。
【００７８】
ステップＳ５０９において電源２０１ＯＦＦの操作を受け付けた場合（ステップＳ５０９：Ｙｅｓ）、あるいは、ステップＳ５１０において基準時点から終了時間が経過した場合（ステップＳ５１０：Ｙｅｓ）、一連の処理を終了する。ステップＳ５１０において、基準時点から終了時間が経過していない場合（ステップＳ５１０：Ｎｏ）、ステップＳ５０９へ移行する。
【００７９】
上述した実施の形態においては、第１の電極部１０１と第２の電極部１０２とを備えた電子体温計１００について説明したが、電極部の数は２つに限るものではない。図６は、この発明にかかる別の実施の形態の電子体温計１００の外観を示す説明図である。図６に示す電子体温計１００においては、第１の電極部１０１および第２の電極部１０２に加えて、第３の電極部６０１を備えている。第３の電極部６０１は、第２の電極部１０２よりも表示部１０３側に設けられている。
【００８０】
図７は、この発明にかかる別の実施の形態の電子体温計１００のハードウエア構成を示す説明図である。図７において、第３の電極部６０１は筐体接地されている。このように、筐体接地された第３の電極部６０１を設けることにより、第１の電極部１０１および第２の電極部１０２の電位の検出にかかるノイズの影響を抑えることができる。そして、ノイズの影響を抑えることにより、温度（予測温度）の算出精度の向上を図り、被験者に対して、精度の高い温度（予測温度）を案内することができる。
【００８１】
以上説明したように、この発明にかかる実施の形態の電子体温計１００は、抵抗体の近傍に設けられた複数の電極（第１の電極部１０１と第２の電極部１０２）間の電位差が所定の閾値を超える場合は、測温部２０２が出力する温度信号に基づいて測定部位の温度（予測温度）を算出し、当該電位差が所定の閾値以下である場合は当該温度信号および当該電位差に基づいて測定部位の温度（予測温度）を算出し、算出した温度を報知するようにしたことを特徴としている。
【００８２】
この発明にかかる実施の形態の電子体温計１００によれば、第１の電極部１０１が触れている物体すなわち生体の発汗状態に応じて、発汗していない状態において実測される温度に基づいて算出した温度（予測温度）を報知し、発汗している状態においては実測される温度に電位差に応じた補正を加えて算出した温度（予測温度）を報知することができる。これにより、被験者に対して、腋下の発汗状態に左右されることなく、精度の高い温度（予測温度）を案内することができる。
【００８３】
また、この発明にかかる実施の形態の電子体温計１００は、第１の電極部１０１と第２の電極部１０２との電位差が所定の閾値以下である場合、測温部２０２が出力する温度信号のみに基づく場合よりも高くなるように温度（予測温度）を算出することを特徴としている。
【００８４】
この発明にかかる実施の形態の電子体温計１００によれば、第１の電極部１０１と第２の電極部１０２との間の電位差が所定の閾値以下である場合は、温度（予測温度）の計測対象となる物体（生体）が発汗した状態であるために第１の電極部１０１と第２の電極部１０２との間のインピーダンスが低下していると判断することができる。そして、発汗している状態では、算出される温度（予測温度）が計測対象となる物体（生体）の実際の温度よりも低くなることを考慮して、測温部２０２が出力する温度信号のみに基づく場合よりも高くなるように温度（予測温度）を算出することにより、被験者に対して、腋下の発汗状態に左右されることなく、精度の高い温度（予測温度）を案内することができる。
【００８５】
また、この発明にかかる実施の形態の電子体温計１００は、スイッチ１０４に対する所定の操作を受け付けることにより電源２０１ＯＮの操作を受け付けた場合、当該操作を受け付けた後、単位時間ごとの温度信号に基づいて物体（生体）の実測温度を算出し、当該実測温度が単位時間において所定値以上上昇した場合に電位差を検出することを特徴としている。
【００８６】
この発明にかかる実施の形態の電子体温計１００によれば、被検者が、腋下に電子体温計１００を装着した状況とみなせる場合に検出した電位差に基づいて温度（予測温度）を算出することができる。これにより、被験者に対して、腋下の発汗状態に左右されることなく、精度の高い温度（予測温度）を案内することができる。
【００８７】
また、この発明にかかる実施の形態の電子体温計１００は、第１の電極部１０１と第２の電極部１０２との電位差が所定の閾値以下である場合、測温部２０２が出力する温度信号、および、第１の電極部１０１と第２の電極部１０２との電位差に基づいて算出された温度であること、すなわち発汗状態に応じて補正された温度（予測温度）であることを報知することを特徴としている。
【００８８】
この発明にかかる実施の形態の電子体温計１００によれば、たとえば、上記のように、「発汗時補正あり」などのメッセージや発汗に起因する補正をおこなったことを、表示部１０３に表示することによって発汗状態に応じて補正された温度（予測温度）であることを報知することにより、被験者に「発汗のため正しく検温ができていないかもしれない」という意識を持たせることができる。
【００８９】
これにより、被験者は、時間的に余裕がある場合などであれば再検温をおこなったり、温度を実測したりするなどの対応をとることができる。一方で、被験者は、おおよその体温を把握するための検温であれば、表示部１０３を視認するだけで、表示された温度が補正された温度（予測温度）であることを認識し、おおよその体温を把握することができる。このように、補正された温度（予測温度）であるか否かを報知することにより、被験者に対して、信頼性の高い情報を提供することができる。
【００９０】
また、この発明にかかる実施の形態の電子体温計１００は、第１の電極部１０１と第２の電極部１０２との電位差が所定の閾値以下である場合、表示部１０３において温度の再計測を促すメッセージを表示するようにしてもよい。このように、温度の再計測を促すメッセージを表示することにより、被験者に対して、発汗状態に応じて補正された温度（予測温度）であることを認識させるとともに、信頼性の高い計測結果を得るための再検温を促すことができる。これにより、被験者に対して腋下の発汗状態に左右されることなく、精度の高い温度（予測温度）を案内することができる。
【産業上の利用可能性】
【００９１】
以上のように、この発明にかかる電子体温計は、生体の体温を計測する電子体温計に有用であり、特に、腋下など発汗の顕著な位置を測定部位として生体の体温を計測する電子体温計に適している。
【符号の説明】
【００９２】
１００  電子体温計
１０１  第１の電極部
１０２  第２の電極部
１０３  表示部
１０４  スイッチ
２０１  電源
２０２  測温部
２０３  制御部
２０４，２０９  増幅器
２０５，２０８  周波数フィルター
２０６  ＡＤＣ
２０７  ＤＡＣ
３０１  電位差検出部
３０２  温度信号取得部
３０３  温度算出部
３０４  報知部
【図１】
2015179031.tif 000003
【図２】
2015179031.tif 000004
【図３】
2015179031.tif 000005
【図４】
2015179031.tif 000006
【図５】
2015179031.tif 000007
【図６】
2015179031.tif 000008
【図７】
2015179031.tif 000009